(57)【要約】【課題】  組み込み装置に組み込んだ時、優れた操作性を有する顕微鏡ユニットとこれを備えた顕微鏡を提供すること。【解決手段】  少なくとも対物レンズ５を支持し上下動する保持部１１と、前記保持部１１の一端を摺動可能に支持し、前記保持部１１の上下動を行う焦準ハンドル９を有し、別体の装置への取付け部を備えた本体部分３を備え、前記保持部１１は前記対物レンズ５を前記保持部１１上の面内で移動させる移動部を有する顕微鏡ユニット１とこれを備えた顕微鏡。【選択図】  図１
2006023486.tif 000002
【特許請求の範囲】
【請求項１】
少なくとも対物レンズを支持し上下動する保持部と、
前記保持部の一端を摺動可能に支持し、前記保持部の上下動を行う焦準ハンドルを有し、別体の装置への取付け部を備えた本体部分を備え、
前記保持部は前記対物レンズを前記保持部上の面内で移動させる移動部を有することを特徴とする顕微鏡ユニット。
【請求項２】
前記移動部は長円形の孔部であり、
レボルバと前記レボルバを支持するマウント部で前記保持部を挟持して前記対物レンズを前記保持部に固定することを特徴とする請求項１に記載の顕微鏡ユニット。
【請求項３】
前記長円形の孔の先端部が開口していることを特徴とする請求項２に記載の顕微鏡ユニット。
【請求項４】
請求項１から３のいずれか１項に記載の顕微鏡ユニットを有することを特徴とする顕微鏡。
【発明の詳細な説明】
【技術分野】
【０００１】
本発明は、顕微鏡に関し、特に対物レンズを含む像観察装置がＸＹ面内で移動可能な顕微鏡ユニットに関する。
【背景技術】
【０００２】
最近、遺伝子検査装置および半導体検査装置などに於いて、標本を観察するために顕微鏡の一部である顕微鏡ユニットを装置本体中に組み込んだ状態で使用することが行われている。装置に組み込まれる顕微鏡ユニットは、対物レンズ、対物レンズを取り付けるレボルバ、アーム部分、およびアーム部を上下動させる上下動部分を含む本体部分から構成され、本体部分を組み込み装置に固定して使うことが一般的である（例えば、特許文献１参照。）。
【特許文献１】特開２００３−５０８６号公報
【発明の開示】
【発明が解決しようとする課題】
【０００３】
しかし、従来の顕微鏡ユニットでは、対物レンズを含む像観察装置がアーム部に固定されて移動できない。従って、本体部分と対物レンズとの間隔が顕微鏡ユニットによって規定されているため、装置内での顕微鏡ユニットの配置の仕方、及び占有面積が決まってしまい組み込み装置の操作性が劣るという問題がある。
【０００４】
本発明は上記課題に鑑みてなされたものであり、組み込み装置に組み込んだ時に優れた操作性を有する顕微鏡ユニットとこれを備えた顕微鏡を提供することを目的としている。
【課題を解決するための手段】
【０００５】
上記目的を達成するために、本発明は、少なくとも対物レンズを支持し上下動する保持部と、前記保持部の一端を摺動可能に支持し、前記保持部の上下動を行う焦準ハンドルを有し、別体の装置への取付け部を備えた本体部分を備え、前記保持部は前記対物レンズを前記保持部上の面内で移動させる移動部を有することを特徴とする顕微鏡ユニットを提供する。
【０００６】
また、本発明にかかる顕微鏡ユニットでは、前記移動部は長円形の孔部であり、レボルバと前記レボルバを支持するマウント部で前記保持部を挟持して前記対物レンズを前記保持部に固定する構成が好ましい。
【０００７】
また、本発明にかかる顕微鏡ユニットは、前記長円形の孔の先端部が開口している構成が好ましい。
【０００８】
また、本発明は、前記顕微鏡ユニットを有することを特徴とする顕微鏡を提供する。
【発明の効果】
【０００９】
本発明によれば、組み込み装置に組み込んだ時、優れた操作性を有する顕微鏡ユニットとこれを備えた顕微鏡を提供することが出来る。
【発明を実施するための最良の形態】
【００１０】
以下、本発明の実施の形態に関し図面を参照しつつ説明する。
【００１１】
図１は、本発明の第１実施の形態にかかる顕微鏡ユニットの概略構成図である。図２（ａ）は、第１実施の形態の像観察装置を除き上方から見た図を、（ｂ）は（ａ）のＫ−Ｋ線に沿った部分断面図を含む側面図である。図３（ａ）は、本発明の第２実施の形態にかかる顕微鏡ユニットの像観察装置を除き、（ｂ）のＫ−Ｋ線に沿った部分断面図を含む側面図であり、（ｂ）は（ａ）のＬ−Ｌ線に沿った部分断面図を含み、Ｍ方向から見た図を示す。図４（ａ）は、本発明の第１実施の形態にかかる顕微鏡ユニットの像観察装置を除き上方から見た図を、（ｂ）は（ａ）のＫ−Ｋ線に沿った部分断面図を含む側面図である。図５（ａ）は、本発明の第４実施の形態にかかる顕微鏡ユニットの像観察装置を除き、上方から見た図であり、（ｂ）は（ａ）のＬ−Ｌ線に沿った部分断面図を含み、Ｍ方向から見た図を示す。
【００１２】
（第１実施の形態）
次に、本発明の第1実施の形態にかかる顕微鏡ユニットについて図面を参照しつつ説明する。
【００１３】
図１、図２において、本体部３に対物レンズ５と例えば観察鏡筒７を支持し、本体部３の焦準ハンドル９で対物レンズ５と観察鏡筒７とを上下に移動する略Ｌ字形状の保持部１１（以後、アーム部と記す）とから顕微鏡ユニット１が構成されている。
【００１４】
本体部３は、背面に複数の取付け部であるねじ孔を有し、このねじ孔によってユニットとは別体の組み込み装置の標本観察領域の任意の位置に取り付けることが可能になっている（背面以外の上下部や焦準ハンドル９の無い側面にねじ孔が有っても良い）。アーム部１１の第１の腕部１１ａは、本体部３に摺動可能に支持され、焦準ハンドル９でアーム部１１を上下に移動可能である。第１の腕部１１ａに一体的に形成された第２の腕部１１ｂには、長円形の孔１５が形成されている。長円形の孔１５に観察鏡筒７を支持するマウント部１７が摺動可能に嵌合し、対物レンズ５を保持するレボルバ１３とねじ部１９によって螺合され、レボルバ１３とマウント部１７とで第２の腕部１１ｂを挟持し、アーム部１１に対物レンズ５と観察鏡筒７とが固定される。観察鏡筒７の上部には、直筒部２０が設けられ、不図示の撮像装置とモニタを介して標本像が観察可能である。なお、観察鏡筒７は、マウント部１７に取り外し可能に形成され、取り付け時にはねじ１８でマウント部１７に固定される。
【００１５】
不図示の標本には、斜め照明等によって照明光が照射され、標本からの光は対物レンズレンズ５によって集光されて、観察鏡筒７及び直筒部２０を介して不図示の撮像装置で撮像されモニタ等で観察される。なお、マウント部１７と観察鏡筒７との間に照明光を与える照明光学系を設けて、対物レンズ５を介して標本を照明するように構成することも出来る。また、アーム部１１において、対物レンズ５上に設置されるものは接眼鏡筒でも良い。
【００１６】
標本への合焦は、本体部３に設けられた焦準ハンドル９によってアーム部１１が上下動し、対物レンズ５と標本との間隔が調整されることで行われる。このようにして、本第１実施の形態にかかる顕微鏡ユニット１が構成されている。
【００１７】
本第１実施の形態では、標本の観察位置を変えるには、レボルバ１３とマウント部７のどちらか一方を回転し、ねじ部１９の螺合を緩め、第２の腕部１１ｂ上を摺動可能に挟持して、対物レンズ５と観察鏡筒７とをアーム部１１ｂ上のＸＹ面内（図２参照）で移動して位置を変える。その後、レボルバ１３とマウント部７のねじ部１９を締めつけて対物レンズ５と観察鏡筒７とを所定の位置に固定する。
【００１８】
このように、本第１実施の形態では、対物レンズ５と観察鏡筒７とをアーム部１１の第２の腕部１１ｂに対して前後左右方向に移動させて固定することにより観察位置の変更が可能となる。前後左右方向の観察位置は、図２の長円形の孔の長軸の長さＢ、短軸の長さＡとマウント部１７の嵌合部の直径φＣとから、長円形の孔の中心軸Ｏに対して、
長軸Ｂ方向（図２（ａ）中左右方向）では、±（Ｂ−φＣ）／２、
短軸Ａ方向（図２（ａ）中上下方向）では、±（Ａ−φＣ）／２、
の範囲に亘って移動することが出来る。
【００１９】
なお、レボルバ１３とマウント部７の間にＸＹ方向の微動機構を設け、観察位置の微調整を行うようにすることも可能である。また、アーム部１１のＹ方向の長さをより長くし、かつレボルバ１３とマウント部７の径をより大きくすれば、対物レンズ５のＹ方向の移動範囲をより長くすることが出来る。
【００２０】
（第２実施の形態）
次に、本発明の第２実施の形態にかかる顕微鏡ユニットに付いて図面を参照しつつ説明する。第１実施の形態と同様の構成には同じ符号を付し説明を省略する。
【００２１】
図３において、アーム部２１の第２の腕部２１ｂの先端部２１ｃが開放された長円形の孔１５の側壁１５ａ、１５ｂにアリ溝２５、２５が形成され、レボルバ２３に形成されているアリ部２２が摺動可能に嵌合している。レボルバ２３とマウント部２７のねじ部４７で両者が螺合され、レボルバ２３とマウント部２７とで第２の腕部２１ｂを挟持する構成となっている。その他の構成は第１実施の形態と同様であり説明を省略する。
【００２２】
本第２実施の形態では、対物レンズ５をレボルバ２３に固定し、マウント部２７をねじ部４７でレボルバ２３に緩く螺合した後、レボルバ２３のアリ部２２を第２の腕部２１ｂのアリ溝２５、２５に嵌合し、対物レンズ５の位置決めをしてマウント部２７を回しねじ部４７を締付けてレボルバ２３とマウント部２７とを第２の腕部２１ｂに固定する。その後、図１に示す鏡筒部７と直筒部２０とをマウント部２７に取り付け標本の観察が可能となる。
【００２３】
本第２実施の形態の場合、対物レンズ５および鏡筒部７の移動は、本体部３に向かって前後方向（図３（ａ）中左右方向）にアリ溝２５、２５に沿って行われる。その他の作用、効果は第１実施の形態と同様であり説明を省略する。
【００２４】
（第３実施の形態）
次に、本発明の第３実施の形態にかかる顕微鏡ユニットに付いて図面を参照しつつ説明する。第２実施の形態と同様の構成には同じ符号を付し説明を省略する。
【００２５】
図４において、第２実施の形態のアーム部２１に比べ第２の腕部３１ｂが短いアーム部３１が本体部３に支持されている。その他の構成は第２実施の形態と同様であり説明を省略する。
【００２６】
本第３実施の形態では、アーム部３１の第２の腕部３１ｂが短く形成されているので、対物レンズ５と本体部３までの距離を短くすることが出来、よりコンパクトに装置に組み込むことが可能となる。また、第２の腕部３１ｂの先端部３１ｃが開放されているので、対物レンズ５と鏡筒部７との交換を容易に行うことが出来る。その他の作用、効果は第２実施の形態と同様であり説明を省略する。
【００２７】
（第４実施の形態）
次に、本発明の第４実施の形態にかかる顕微鏡ユニットに付いて図面を参照しつつ説明する。第３実施の形態と同様の構成には同じ符号を付し説明を省略する。
【００２８】
図５において、第４実施の形態は第３実施の形態の変形例であり、対物レンズ５の取り付け中心位置をアーム部４１の中心軸位置に対してずらして配置するように長円形の孔１５を形成している。
【００２９】
第４実施の形態では、アーム部４１の第２の腕部４１ｂに第２の腕部４ｂの端部４１ｃが開放された長円形の孔１５の中心Ｉ１軸が、アーム部４１の中心軸Ｉ０に対して図中右方向に所定量ずらして形成されている。この結果、対物レンズ５の取り付け位置をアーム部４１の中心軸位置からずらして装置に組み込むことが可能となる。その他の構成、作用、効果は第３実施の形態と同様であり説明を省略する。
【００３０】
なお、全ての実施の形態において、本体部に対してアーム部は交換可能であり、各種の形状のアーム部を使用することが可能である。また、全ての実施の形態における顕微鏡ユニットを用いて顕微鏡を構成することも可能である。例えば、標本を移動することが出来ない生体細胞等の電気生理観察に於いては、顕微鏡全体を移動して標本の観察位置決めを行っているが、本実施の形態の顕微鏡ユニットを用いた顕微鏡では、対物レンズを含む像観察装置を移動することで観察標本の位置決めが可能となる。
【００３１】
なお、上述の実施の形態は例に過ぎず、上述の構成や形状に限定されるものではなく、本発明の範囲内において適宜修正、変更が可能である。
【図面の簡単な説明】
【００３２】
【図１】本発明の第１実施の形態にかかる顕微鏡ユニットの概略構成図である。
【図２】（ａ）は、第１実施の形態の像観察装置を除き上方から見た図を、（ｂ）は（ａ）のＫ−Ｋ線に沿った部分断面図を含む側面図である。
【図３】（ａ）は、本発明の第２実施の形態にかかる顕微鏡ユニットの像観察装置を除き、（ｂ）のＫ−Ｋ線に沿った部分断面図を含む側面図であり、（ｂ）は（ａ）のＬ−Ｌ線に沿った部分断面図を含み、Ｍ方向から見た図を示す。
【図４】（ａ）は、本発明の第１実施の形態にかかる顕微鏡ユニットの像観察装置を除き上方から見た図を、（ｂ）は（ａ）のＫ−Ｋ線に沿った部分断面図を含む側面図である。
【図５】（ａ）は、本発明の第４実施の形態にかかる顕微鏡ユニットの像観察装置を除き、上方から見た図であり、（ｂ）は（ａ）のＬ−Ｌ線に沿った部分断面図を含み、Ｍ方向から見た図を示す。
【符号の説明】
【００３３】
１      顕微鏡ユニット
３      本体部
５      対物レンズ
７      鏡筒部
９      焦準ハンドル（上下動ハンドル）
１１、２１、３１、４１    保持部（アーム部）
１３、２３、    レボルバ
１５    長円形の孔
１７、２７    マウント部
１８    ねじ
１９、４７    ねじ部
２０    直筒部
２２    アリ部
２５    アリ溝
Ｉ０、Ｉ１    中心軸
【図１】
2006023486.tif 000003
【図２】
2006023486.tif 000004
【図３】
2006023486.tif 000005
【図４】
2006023486.tif 000006
【図５】
2006023486.tif 000007